(57)【特許請求の範囲】
【請求項１】
シューズの製作に用いられる彫刻模様入りソールであって、互いに反対側に位置した上方側部及び下方側部並びに互いに反対側に位置した前方縁部及び後方縁部を備えた弾性圧縮性材料から成る基部と、基部の下方側部から下方に且つその前方縁部から後方に延びるよう基部の下方側部上に設けられていて、各々が、彫刻模様入りソールを備えたシューズを履くと共に前記ソールの上に位置した足の複数本の指の一つ一つの下に位置する複数の支持パッドとを有し、前記基部は、基部の下方側部に設けられた複数のスロットを有し、各スロットは、一つ一つの支持パッドの上に位置する一つ一つの足指と全体的に整列して延びるよう支持パッドの一つ一つの中央に形成されていて、足指の一つ一つによって対応関係にある一つ一つの支持パッドに及ぼされた力が支持パッドの中央に形成された対応関係にあるスロットに差し向けられるようになっており、前記基部は、基部の下方側部に設けられた複数の溝を更に有し、溝は、隣り合う支持パッド相互間に形成されていてこれらを互いに離隔させると共に全体として足指相互間の隙間とそれぞれ整列して延びていて支持パッドを互いに分離させ、各支持パッドが、足指のそれぞれによってのみ力が支持パッドに加えられたり取り去られると、実質的にこれに応答して、圧縮動作を行ったり弾性反撥動作を行ったりするようになっており、前記彫刻模様入りソールは更に、基部の上方側部と下方側部のうち一方に取り付けられた弾性材料層を有し、該弾性材料層は、主要部分と、主要部分から延びていて、各々が、全体として同一の広がりをもち、基部の支持パッドの一つ一つと整列すると共に一つ一つの支持パッドの中央に形成された前記スロットと整列した複数の縁部分と、主要部分を貫通し、全体として基部の溝と整列した状態で弾性材料層の隣り合う縁部分の間に延びていてこれらを互いに分離させる複数の開口部を構成する手段とを更に有し、弾性材料層の各縁部分は、互いに分離されていて、足指のそれぞれによってのみ力が支持パッドに加えられたり取り去られると、実質的にこれに応答して、整列関係にある支持パッドが圧縮動作を行っているときに伸びてエネルギを蓄えたり整列関係にある支持パッドが弾性反撥動作を行っているときに縮んでエネルギを放出するようになっていることを特徴とする彫刻模様入りソール。
【請求項２】
支持パッドは各々、基部の後方端部のほうに向いた後端部を有し、各支持パッドの後端部には、スロットと整列して弧状凹部が形成され、弧状凹部は、支持パッドに加えられた力をスロットと整列して差し向けるようになっていることを特徴とする請求項１記載の彫刻模様入りソール。
【請求項３】
可撓性非弾性材料で作られた複数の全体として平らなプレートを更に有し、各プレートは、互いに間隔を置いた状態で弾性材料層に取り付けられると共に全体として基部の支持パッドの一つ一つと整列して設けられていることを特徴とする請求項１記載の彫刻模様入りソール。
【請求項４】
弾性材料層は、弾性材料層上へのプレートの位置を定めるために全体としてプレートの外形と一致した外形のパターンが捺印された表面を更に有していることを特徴とする請求項３記載の彫刻模様入りソール。
【請求項５】
基部の各支持パッドは、全体としてＵ字形であり、支持パッドの中央に形成された前記スロットは、基部の前方縁部に隣接した開放端部を有していることを特徴とする請求項３記載の彫刻模様入りソール。
【請求項６】
各プレートは、全体としてＵ字形であり、各プレートの中央には切欠きが設けられ、プレートのうち少なくとも幾つかは、切欠きを閉じると共に各Ｕ字形支持パッドの中央に形成された前記スロットの開放端部を横切って延びるよう基部の前方縁部に隣接して位置した端部を有していることを特徴とする請求項５記載の彫刻模様入りソール。
【請求項７】
シューズの製作に用いられる彫刻模様入りソールであって、互いに反対側に位置した上方側部及び下方側部並びに互いに反対側に位置した前方縁部及び後方縁部を備えた弾性圧縮性材料から成る基部と、基部の下方側部から下方に且つその前方縁部から後方に延びるよう基部の下方側部上に設けられていて、各々が、彫刻模様入りソールを備えたシューズを履くと共に前記ソールの上に位置した足の複数本の指の一つ一つの下に位置する複数の支持パッドとを有し、前記基部は、基部の下方側部に設けられた複数のスロットを有し、各スロットは、一つ一つの支持パッドの上に位置する一つ一つの足指と全体的に整列して延びるよう支持パッドの一つ一つの中央に形成されていて、足指の一つ一つによって対応関係にある一つ一つの支持パッドに及ぼされた力が支持パッドの中央に形成された対応関係にあるスロットに差し向けられるようになっており、前記基部は、基部の下方側部に設けられた複数の溝を更に有し、溝は、隣り合う支持パッド相互間に形成されていてこれらを互いに離隔させると共に全体として足指相互間の隙間とそれぞれ整列して延びていて支持パッドを互いに分離させ、各支持パッドが、足指のそれぞれによってのみ力が支持パッドに加えられたり取り去られると、実質的にこれに応答して、圧縮動作を行ったり弾性反撥動作を行ったりするようになっており、前記彫刻模様入りソールは更に、可撓性非弾性材料で作られた複数の全体として平らなプレートを更に有し、各プレートは、互いに間隔を置いた状態で弾性材料層に取り付けられると共に全体として基部の支持パッドの一つ一つと整列して設けられており、各プレートは、全体としてＵ字形であり、各プレートの中央には切欠きが設けられ、プレートのうち少なくとも幾つかは、切欠きを閉じると共に各支持パッドの中央に形成された前記スロットを横切って延びるよう基部の前方縁部に隣接して位置した前端部を有していることを特徴とする彫刻模様入りソール。
【請求項８】
可撓性非弾性材料で作られた複数のウェブを更に有し、各ウェブは、隣り合うプレート相互間に延びてこれらを相互に連結していることを特徴とする請求項７記載の彫刻模様入りソール。
【請求項９】
弾性圧縮性材料で作られていて、基部から後方に延びる状態でこれに取り付けられたヒール部材を更に有し、ヒール部材は、横方向に延びると共に後方上方に傾斜した後部傾斜表面を備えた後方端部分と、後方端部分と合体していてこれから前方に延びる一対の互いに反対側に位置した側方支持部分とを有し、側方支持部分は、後方端部分と協働して、後部傾斜表面を通って後端部のところで開いた長手方向凹部を構成し、長手方向凹部は、互いに反対側に位置した側方支持部分の間で前方に延びていて、圧縮力及び弾性反撥力を長手方向凹部中へ差し向け、それにより前記ソールを備えたシューズを履いた足のかかとを安定させると共にこれに対する衝撃を吸収するようになっていることを特徴とする請求項７記載の彫刻模様入りソール。
【請求項１０】
ヒール部材を覆った状態でこれに取り付けられた一対のヒールプレート及び中央ヒールフォークを更に有することを特徴とする請求項９記載の彫刻模様入りソール。
【請求項１１】
シューズの製作に用いられる彫刻模様入りソールであって、互いに反対側に位置した上方側部及び下方側部並びに互いに反対側に位置した前方縁部及び後方縁部を備えた弾性圧縮性材料から成る基部と、基部の下方側部から下方に且つその前方縁部から間隔を置いた状態で後方に延びるよう基部の下方側部上に設けられていて、各々が、彫刻模様入りソールを備えるシューズを履くと共に前記ソールの上に位置した足の複数本の中足骨の一つ一つの下に位置する複数の支持ランドとを有し、前記基部は、基部の下方側部に設けられた複数のチャンネルを有し、前記チャンネルは、隣り合う支持ランド相互間に形成されていてこれらを互いに離隔させると共に全体として足の中足骨相互間の隙間とそれぞれ整列して延びていて支持ランドを互いに分離させ、各支持ランドが、足の中足骨のそれぞれによってのみ力が支持ランドに加えられたり取り去られると、実質的にこれに応答して、圧縮動作を行ったり弾性反撥動作を行ったりするようになっており、前記彫刻模様入りソールは、基部の上方側部と下方側部のうち一方に取り付けられた弾性材料層を更に有し、弾性材料層は、主要部分及び主要部分を貫通すると共に支持ランドの前方端部の前方に位置した状態で全体としてこれと整列して延びる複数の穴を構成する手段を有し、弾性材料層の主要部分は、足の中足骨のそれぞれによってのみ力が支持ランドに加えられたり取り去られると、実質的にこれに応答して、支持ランドが圧縮動作を行っているときに伸びてエネルギを蓄えたり支持ランドが弾性反撥動作を行っているときに縮んでエネルギを放出するようになっていることを特徴とする彫刻模様入りソール。
【請求項１２】
支持ランドは各々、基部の前方端部のほうに向いた前端部を有し、各支持ランドの前端部には、弾性材料層の穴と整列して弧状凹部が形成されていることを特徴とする請求項１１記載の彫刻模様入りソール。
【請求項１３】
可撓性非弾性材料で作られた複数のキャップを更に有し、各キャップは、互いに間隔を置いた状態で弾性材料層に取り付けられると共に全体として基部の支持ランドの一つ一つと整列して設けられていることを特徴とする請求項１１記載の彫刻模様入りソール。
【請求項１４】
弾性材料層は、弾性材料層上へのプレートの位置を定めるために全体としてプレートの外形と一致した外形のパターンが捺印された表面を更に有していることを特徴とする請求項１３記載の彫刻模様入りソール。
【請求項１５】
シューズの製作に用いられる彫刻模様入りソールであって、互いに反対側に位置した上方側部及び下方側部並びに互いに反対側に位置した前方縁部及び後方縁部を備えた弾性圧縮性材料から成る基部と、基部の下方側部から下方に且つその前方縁部から間隔を置いた状態で後方に延びるよう基部の下方側部上に設けられていて、各々が、彫刻模様入りソールを備えるシューズを履くと共に前記ソールの上に位置した足の複数本の中足骨の一つ一つの下に位置する複数の支持ランドとを有し、前記基部は、基部の下方側部に設けられた複数のチャンネルを有し、前記チャンネルは、隣り合う支持ランド相互間に形成されていてこれらを互いに離隔させると共に全体として足の中足骨相互間の隙間とそれぞれ整列して延びていて支持ランドを互いに分離させ、各支持ランドが、足の中足骨のそれぞれによってのみ力が支持ランドに加えられたり取り去られると、実質的にこれに応答して、圧縮動作を行ったり弾性反撥動作を行ったりするようになっており、前記彫刻模様入りソールは、可撓性非弾性材料で作られた複数のキャップを更に有し、各キャップは、互いに間隔を置いた状態で弾性材料層に取り付けられると共に全体として基部の支持ランドの一つ一つと整列して設けられており、キャップのうち少なくとも幾つかは、全体としてＵ字形であり、該キャップは、その中央に設けられた切欠き及び切欠きを閉じる前端部を有していることを特徴とする彫刻模様入りソール。
【請求項１６】
可撓性非弾性材料で作られた複数のウェブを更に有し、各ウェブは、隣り合うキャップ相互間に延びてこれらを相互に連結していることを特徴とする請求項１５記載の彫刻模様入りソール。
【請求項１７】
弾性圧縮性材料で作られていて、基部から後方に延びる状態でこれに取り付けられたヒール部材を更に有し、ヒール部材は、横方向に延びると共に後方上方に傾斜した後部傾斜表面を備えた後方端部分と、後方端部分と合体していてこれから前方に延びる一対の互いに反対側に位置した側方支持部分とを有し、側方支持部分は、後方端部分と協働して、後部傾斜表面を通って後端部のところで開いた長手方向凹部を構成し、長手方向凹部は、互いに反対側に位置した側方支持部分の間で前方に延びていて、圧縮力及び弾性反撥力を長手方向凹部中へ差し向け、それにより前記ソールを備えたシューズを履いた足のかかとを安定させると共にこれに対する衝撃を吸収するようになっていることを特徴とする請求項１５記載の彫刻模様入りソール。
【請求項１８】
ヒール部材を覆った状態でこれに取り付けられた一対のヒールプレート及び中央ヒールフォークを更に有することを特徴とする請求項１７記載の彫刻模様入りソール。
【請求項１９】
シューズの製作に用いられる彫刻模様入りソールであって、互いに反対側に位置した上方側部及び下方側部並びに互いに反対側に位置した前方縁部及び後方縁部を備えた弾性圧縮性材料から成る基部と、基部の下方側部から下方に且つその前方縁部から後方に延びるよう基部の下方側部上に設けられていて、各々が、彫刻模様入りソールを備えたシューズを履くと共に前記ソールの上に位置した足の複数本の指の一つ一つの下に位置する複数の前方支持パッドとを有し、前記基部は、基部の下方側部に設けられた複数のスロットを有し、各スロットは、一つ一つの前方支持パッドの上に位置する一つ一つの足指と全体的に整列して延びるよう前方支持パッドの一つ一つの中央に形成されていて、足指の一つ一つによって対応関係にある一つ一つの支持パッドに及ぼされた力が支持パッドの中央に形成された対応関係にあるスロットに差し向けられるようになっており、前記基部は、基部の下方側部に設けられた複数の溝を更に有し、溝は、隣り合う前方支持パッド相互間に形成されていてこれらを互いに離隔させると共に全体として足指相互間の隙間とそれぞれ整列して延びていて前方支持パッドを互いに分離させ、各前方支持パッドが、足指のそれぞれによってのみ力が前方支持パッドに加えられたり取り去られると、実質的にこれに応答して、圧縮動作を行ったり弾性反撥動作を行ったりするようになっており、前記彫刻模様入りソールは、基部の下方側部から下方に且つその前方縁部から間隔を置いた状態で後方に延びるよう基部の下方側部上に設けられていて、各々が、彫刻模様入りソールを備えるシューズを履くと共に前記ソールの上に位置した足の複数本の中足骨の一つ一つの下に位置する複数の後方支持ランドを更に有し、前記基部は、基部の下方側部に設けられた複数のチャンネルを更に有し、前記チャンネルは、隣り合う後方支持ランド相互間に形成されていてこれらを互いに離隔させると共に全体として足の中足骨相互間の隙間とそれぞれ整列して延びていて後方支持ランドを互いに分離させ、各後方支持ランドが、足の中足骨のそれぞれによってのみ力が後方支持ランドに加えられたり取り去られると、実質的にこれに応答して、圧縮動作を行ったり弾性反撥動作を行ったりするようになっており、前記彫刻模様入りソールは更に、基部の上方側部と下方側部のうち一方に取り付けられた弾性材料層を有し、該弾性材料層は、全体的に後方支持ランドと整列して延びる主要部分と、主要部分から延びていて、各々が、全体として同一の広がりをもち、基部の支持パッドの一つ一つと整列すると共に一つ一つの支持パッドの中央に形成された前記スロットと整列した複数の縁部分と、主要部分を貫通し、全体として基部の溝と整列した状態で弾性材料層の隣り合う縁部分の間に延びていてこれらを互いに分離させる複数の開口部を構成する手段とを更に有し、弾性材料層の各縁部分は、互いに分離されていて、足指のそれぞれによってのみ力が支持パッドに加えられたり取り去られる、実質的にこれに応答して、整列関係にある支持パッドが圧縮動作を行っているときに伸びてエネルギを蓄えたり整列関係にある支持パッドが弾性反撥動作を行っているときに縮んでエネルギを放出するようになっており、更に、主要部分を貫通すると共に支持ランドの前方端部の前方に位置した状態で全体としてこれと整列して延びる複数の穴を構成する手段を有し、弾性材料層の主要部分は、足の中足骨のそれぞれによってのみ力が支持ランドに加えられたり取り去られると、実質的にこれに応答して、支持ランドが圧縮動作を行っているときに伸びてエネルギを蓄えたり支持ランドが弾性反撥動作を行っているときに縮んでエネルギを放出するようになっていることを特徴とする彫刻模様入りソール。
【請求項２０】
可撓性非弾性材料で作られた複数のプレートを更に有し、各プレートは、互いに間隔を置いた状態で弾性材料層に取り付けられると共に全体として基部の前方支持パッドの一つ一つと整列して設けられていることを特徴とする請求項１９記載の彫刻模様入りソール。
【請求項２１】
可撓性非弾性材料で作られた複数のキャップを更に有し、各キャップは、互いに間隔を置いた状態で弾性材料層に取り付けられると共に全体として基部の後方支持ランドの一つ一つと整列して設けられていることを特徴とする請求項２０記載の彫刻模様入りソール。
【請求項２２】
シューズの製作に用いられる彫刻模様入りソールであって、互いに反対側に位置した上方側部及び下方側部並びに互いに反対側に位置した前方縁部及び後方縁部を備えた弾性圧縮性材料から成る基部と、基部の下方側部から下方に且つその前方縁部から後方に延びるよう基部の下方側部上に設けられていて、各々が、彫刻模様入りソールを備えたシューズを履くと共に前記ソールの上に位置した足の複数本の指の一つ一つの下に位置する複数の前方支持パッドとを有し、前記基部は、基部の下方側部に設けられた複数のスロットを有し、各スロットは、一つ一つの前方支持パッドの上に位置する一つ一つの足指と全体的に整列して延びるよう前方支持パッドの一つ一つの中央に形成されていて、足指の一つ一つによって対応関係にある一つ一つの支持パッドに及ぼされた力が支持パッドの中央に形成された対応関係にあるスロットに差し向けられるようになっており、前記基部は、基部の下方側部に設けられた複数の溝を更に有し、溝は、隣り合う前方支持パッド相互間に形成されていてこれらを互いに離隔させると共に全体として足指相互間の隙間とそれぞれ整列して延びていて前方支持パッドを互いに分離させ、各前方支持パッドが、足指のそれぞれによってのみ力が前方支持パッドに加えられたり取り去られると、実質的にこれに応答して、圧縮動作を行ったり弾性反撥動作を行ったりするようになっており、前記彫刻模様入りソールは、基部の下方側部から下方に且つその前方縁部から間隔を置いた状態で後方に延びるよう基部の下方側部上に設けられていて、各々が、彫刻模様入りソールを備えるシューズを履くと共に前記ソールの上に位置した足の複数本の中足骨の一つ一つの下に位置する複数の後方支持ランドを更に有し、前記基部は、基部の下方側部に設けられた複数のチャンネルを更に有し、前記チャンネルは、隣り合う後方支持ランド相互間に形成されていてこれらを互いに離隔させると共に全体として足の中足骨相互間の隙間とそれぞれ整列して延びていて後方支持ランドを互いに分離させ、各後方支持ランドが、足の中足骨のそれぞれによってのみ力が後方支持ランドに加えられたり取り去られると、実質的にこれに応答して、圧縮動作を行ったり弾性反撥動作を行ったりするようになっており、前記彫刻模様入りソールは更に、各々が互いに間隔を置いた状態で弾性材料層に取り付けられると共に全体として基部の前方支持パッドの一つ一つと整列して設けられている可撓性非弾性材料で作られた複数のプレートと、各々が隣り合うプレート相互間に延びてこれらを相互に連結している可撓性非弾性材料で作られた複数の第１のウェブと、各々が互いに間隔を置いた状態で弾性材料層に取り付けられると共に全体として基部の後方支持ランドの一つ一つと整列して設けられている可撓性非弾性材料で作られた複数のキャップと、各々が隣り合うキャップ相互間に延びてこれらを相互に連結している可撓性非弾性材料で作られた複数の第２のウェブとを有することを特徴とする彫刻模様入りソール。
【請求項２３】
弾性圧縮性材料で作られていて、基部から後方に延びる状態でこれに取り付けられたヒール部材を更に有し、ヒール部材は、横方向に延びると共に後方上方に傾斜した後部傾斜表面を備えた後方端部分と、後方端部分と合体していてこれから前方に延びる一対の互いに反対側に位置した側方支持部分とを有し、側方支持部分は、後方端部分と協働して、後部傾斜表面を通って後端部のところで開いた長手方向凹部を構成し、長手方向凹部は、互いに反対側に位置した側方支持部分の間で前方に延びていて、圧縮力及び弾性反撥力を長手方向凹部中へ差し向け、それにより前記ソールを備えたシューズを履いた足のかかとを安定させると共にこれに対する衝撃を吸収するようになっていることを特徴とする請求項２２記載の彫刻模様入りソール。
【請求項２４】
シューズに用いられるソール構成要素であって、可撓性非弾性材料で作られた複数の全体として平らなプレートを含み、各プレートは、前記ソール構成要素を有するシューズを履いた足の複数の足指の一つ一つと全体として整列するよう互いに間隔を置いて配置され、各プレートは、全体としてＵ字形であり、各プレートの中央には、足指とそれぞれ整列する切欠きが設けられ、プレートのうち少なくとも幾つかは、切欠きを閉じる前端部を有し、前記ソール構成要素は、可撓性非弾性材料で作られた複数のウェブを更に含み、各ウェブは、隣り合うプレート相互間に延びてこれらを相互に連結していることを特徴とするソール構成要素。
【請求項２５】
シューズに用いられるソール構成要素であって、可撓性非弾性材料で作られた複数のキャップを含み、各キャップは、前記ソール構成要素を有するシューズを履いた足の複数の中足骨の一つ一つと全体として整列するよう互いに間隔を置いて配置され、キャップのうち少なくとも幾つかは、全体としてＵ字形であり、該キャップは、その中央に設けられていて足の中足骨とそれぞれ整列する切欠き及び切欠きを閉じる前端部を有し、前記ソール構成要素は、可撓性非弾性材料で作られた複数のウェブを更に含み、各ウェブは、隣り合うキャップ相互間に延びてこれらを相互に連結していることを特徴とするソール構成要素。
【発明の詳細な説明】
技術分野
本発明は、一般にシューズに関し、特に運動用履物の彫刻したような模様の入った（以下、「彫刻模様入り」という）ソール構造に関する。
従来技術
運動競技活動が盛んになるにつれ、種々のスポーツの参加者の要望に応える目的でシューズの設計が多種多様になっている。シューズ設計の急増は特に、ウォーキング及びランニングを伴う運動競技の参加者に関して生じている。通常の歩き及び走りの際の足の運びにおいて、言うまでもなく、片方の足は常に地面上で「スタンス（構え）モード」にあり、もう片方の足は空中で「スイングモード」で動いている。さらに、スタンスモードでは、「地面上」の足はそれぞれ、３つの連続した基本動作段階、即ち、踵（かかと）突き（heel strike）段階、中間スタンス（mid stance）段階、爪先立ち又はトーオフ（toe off）段階を経て進む。早いランニングペースでは、通常、踵突き段階は省かれる。
現行のシューズ設計は、これら連続動作段階の各々の間における参加者の足・足首系の要請に正しく取り組んでいない。現行シューズ設計では、参加者の足・足首系は、衝撃吸収能力、筋系及び腱組織の耐荷重能力、及びランナーの身体の前方推進能力を含む機能的な能力のうち相当大きな割合、推測によれば少なくとも３０％を失っている。この理由は、現行設計のウォーキングシューズ及びランニングシューズのソールが、参加者の足の踵、足指、足根骨、筋、及び腱に個別的に取り組んでいないからである。これら足の構成要素に対する個別的な取組がなされなかったことにより、足・足首系のしなやかさが阻まれ、足・足首系に最適に加重するのに必要なタイミングが妨害され、しかも、「地面上」での足の運びの３つの連続的な基本動作段階の間、足の踵から足指へのエネルギの円滑で連続的な伝達が妨害される。
したがって、参加者の足の踵、足指、中足骨、筋、及び腱の動作に個別的に取り組むソール構造を有する運動用履物が要望されている。
発明の開示
本発明は、従来技術の欠点を解決すると共に別の欠点を生じさせないで上記要望を満たすよう設計された彫刻模様入りソール構造を有する振動用履物を提供する。本発明の彫刻模様入りソール構造は、従来型運動用履物、特にウォーキングシューズ及びランニングシューズのソールに代わるものであり、足の踵、足指、中足骨、筋、及び腱の筋の自然なしなやかな動作に対立したり阻む構造ではなく、かかる動作を補完増強する構造を提供することによって運動用履物の性能を向上させるようになっている。彫刻模様入りソールの特徴により、足が踵突き段階、中間スタンス段階及びトーオフ段階から成る３つの連続した基本動作段階を経て進む際における足のエネルギのユニークな制御及び案内ができる。
したがって、本発明は、シューズ、特に運動用履物の製作に用いられる彫刻模様入りソールに関する。彫刻模様入りソールは、互いに反対側に位置した上方側部及び下方側部並びに互いに反対側に位置した前方縁部及び後方縁部を備えた弾性圧縮性材料から成る基部と、基部の下方側部から下方に且つその前方縁部から後方に延びるよう基部の下方側部上に設けられていて、各々が、彫刻模様入りソールを備えたシューズを履くと共に前記ソールの上に位置した足の複数本の指の一つ一つの下に位置する複数の支持パッドとを有する。ソールは又、基部の下方側部に設けられた複数のスロットを有し、各スロットは、一つ一つの支持パッドの上に位置する一つ一つの足指と全体的に整列して延びるよう支持パッドの一つ一つの中央に形成されていて、足指の一つ一つによって対応関係にある一つ一つの支持パッドに及ぼされた力が支持パッドの中央に形成された対応関係にあるスロットに差し向けられるようになっている。彫刻模様入りソールは更に、基部の下方側部に設けられた複数の溝を有し、溝は、隣り合う支持パッド相互間に形成されていてこれらを互いに離隔させると共に全体として足指相互間の隙間とそれぞれ整列して延びていて支持パッドを互いに分離させ、各支持パッドが、足指のそれぞれによってのみ力が支持パッドに加えられたり取り去られると、実質的にこれに応答して圧縮動作を行ったり弾性反撥動作を行ったりするようになっている。
彫刻模様入りソールは更に、基部の下方側部から下方に且つその前方縁部から間隔を置いた状態で後方に延びるよう基部の下方側部上に設けられていて、各々が、彫刻模様入りソールを備えるシューズを履くと共に前記ソールの上に位置した足の複数本の中足骨の一つ一つの下に位置する複数の後方支持ランドを有する。彫刻模様入りソールは更に、基部の下方側部に設けられた複数のチャンネルを有し、各チャンネルは、隣り合う支持ランド相互間に形成されていてこれらを互いに離隔させると共に全体として足の中足骨相互間の隙間とそれぞれ整列して延びていて支持ランドを互いに分離させ、各支持ランドが、足の中足骨のそれぞれによってのみ力が支持ランドに加えられたり取り去られると、実質的にこれに応答して、圧縮動作を行ったり弾性反撥動作を行ったりするようになっている。
本発明の彫刻模様入りソールは、基部の上方側部と下方側部のうち一方に取り付けられた弾性材料層を更に有する。弾性材料層は、全体として後方支持ランドと整列して延びる主要部分及び主要部分から前方に延びる複数の縁部分を有する。弾性材料層は又、主要部分を貫通して形成されていて、全体として基部の溝と整列した状態で弾性材料層の隣り合う縁部分の間に延びていてこれらを互いに分離させる複数の開口部を有し、各縁部分は、互いに分離されていて、足指のそれぞれによってのみ力が支持パッドに加えられたり取り去られると、実質的にこれに応答して、整列関係にある支持パッドが圧縮動作を行っているときに延びてエネルギを蓄えたり整列関係にある支持パッドが弾性反撥動作を行っているときには縮んでエネルギを放出するようになっている。主要部分を貫通して形成された穴は、支持ランドの前方端部の前方に位置した状態で全体としてこれと整列して延びていて、弾性材料層の主要部分は、足の中足骨のそれぞれによってのみ力が支持ランドに加えられたり取り去られると、実質的にこれに応答して、支持ランドが圧縮動作を行っているときに延びてエネルギを蓄えたり支持ランドが弾性反撥動作を行っているときに縮んでエネルギを放出するようになっている。
さらに、彫刻模様入りソールは、可撓性非弾性材料で作られた複数の全体として平らなプレートを有する。各プレートは、互いに間隔を置いた状態で弾性材料層に取り付けられると共に全体として基部の支持パッドの一つ一つと整列して設けられている。可撓性非弾性材料で作られた複数のウェブが、隣り合うプレート相互間に延びてこれらを相互に連結している。
さらに、彫刻模様入りソールは、可撓性非弾性材料で作られた複数の全体として平らなキャップを有する。各キャップは、互いに間隔を置いた状態で弾性材料層に取り付けられると共に全体として基部の支持ランドの一つ一つと整列して設けられている。可撓性非弾性材料で作られた複数のウェブが、隣り合うキャップ相互間に延びてこれらを相互に連結している。
本発明の彫刻模様入りソールは、弾性圧縮性材料で作られていて、基部から後方に延びる状態でこれに取り付けられたヒール部材を更に有する。ヒール部材は、横方向に延びると共に後方上方に傾斜した後部傾斜表面を備えた後方端部分と、後方端部分と合体していてこれから前方に延びる一対の互いに反対側に位置した側方支持部分とを有し、側方支持部分は、後方端部分と協働して、後部傾斜表面を通って後端部のところで開いた長手方向凹部を構成し、長手方向凹部は、互いに反対側に位置した側方支持部分の間で前方に延びていて、圧縮力及び弾性反撥力を長手方向凹部中へ差し向け、それにより前記ソールを備えたシューズを履いた足の踵の安定性を向上させると共にこれに対する衝撃を吸収するようになっている。
本発明の上記特徴及び利点並びに他の特徴及び利点は、本発明の例示の実施形態が図示されている図面と関連して以下の詳細な説明を読むと当業者には明らかになろう。
【図面の簡単な説明】
以下の詳細な説明では、添付の図面を参照されたい。
図１は、本発明の彫刻模様入りソールを組み込んだ運動用履物の分解側面図である。
図２は、図１の彫刻模様入りソールの基部及びヒール部材の底面図である。
図３は、図１の彫刻模様入りソールの弾性材料層の底面図である。
図４は、図１の彫刻模様入りソールのプレート及びキャップの底面図である。
図５は、図１の彫刻模様入りソールの組合せ状態の底面図である。
図６は、図１の６−６線における彫刻模様入りソールの支持パッド、弾性材料層及びプレートの分解横断面図である。
図７は、図１の７−７線における彫刻模様入りソールのヒール部材の分解横断図面である。
発明の最適実施形態
図面を参照し、特に図１を参照すると、全体が符号１０で示され、上部又はアッパー１２を有すると共に本発明の彫刻模様入りソール１４を備えた運動用履物、例えばウォーキングシューズ又はランニングシューズが示されている。彫刻模様入りソール１４（部分的に分解した形で示されている）は、足の踵、中足骨及び足指の筋の自然な屈曲動作を補完増強する構造をもたらすことによってシューズ１０の性能を向上させている。
図１、図２、図５及び図６を参照すると、本発明の彫刻模様入りソール１４は、基本構成要素として、弾性圧縮性材料、例えばポリウレタン又は圧縮ＥＶＡから成り、互いに反対側に位置する上方側部１６Ａと下方側部１６Ｂ及び互いに反対側に位置する前方縁部１６Ｃと後方縁部１６Ｄを有する基部１６と、各々が実質的に平らな外面を有すると共に基部１６の下方側部１６Ｂ上に設けられた複数の前方支持パッド１８と、隣り合う支持パッド１８の間に延びていてこれらを互いに離隔させるよう基部１８の下方側部１８Ｂに形成された複数の分離溝２０とを含む。図６に示すように、溝２０の横断面はＶ字形であることが好ましい。このように形成された支持パッド１８は、基部１６から下方に延び、支持パッド１８の対向した側部１８Ａは互いに向かって僅かに収斂している。また、支持パッド１８はそれぞれが彫刻模様入りソール１４の上に位置した着用者の足指のそれぞれの下に位置するよう基部１６の前方縁部１６Ｃから後方に延びている。また、複数のスロット２２が、基部１６の下方側部１６Ｂに設けられていて、各スロット２２は、前方支持パッド１８の一つ一つの中央に形成されるようになっている。各スロット２２は、基部１６の前方縁部１６Ｃに隣接して位置した開放前端部２２Ａ及び基部１６の前方縁部１６Ｃから後方に間隔を置いて位置した閉鎖後方端部２２Ｂを有している。かくして、図２に示すように、各支持パッド１８は全体としてＵ字形の形状を有している。支持パッド１８を基部１６と一体に連結してもよく、或いはこれに接合される別個の部品であってもよい。
さらに、支持パッド１８のスロット２２は、着用者のそれぞれの足指と全体としてそれぞれ整列して延び、支持パッド１８相互間の分離溝２０は、足指相互間のそれぞれの隙間と全体として整列して延びている。通常の歩き及び走りにおける中間スタンス段階からトーオフ段階での「地面上」の足の運び中、それぞれの足指によって支持パッド１８に及ぼされた力は、支持パッドの中央に形成されたそれぞれのスロット２２へ差し向けられる。着用者の足指相互間に延びる溝２０は、支持パッド１８を互いに分離していて、各支持パッド１８は支持パッド１８と整列している足指のそれぞれによってのみ力が各支持パッドに加えられたりこれから取り去られると、実質的にこれに応答して圧縮動作を行なったり弾性反撥動作を行なったりするようになっている。支持パッド１８の後端部１８Ｂには、スロット２２の閉鎖後方端部２２Ｂと整列すると共にこれから後方に間隔を置いた状態で凹状又は弧状の凹部２４が形成されている。弧状凹部２４は、支持パッド１８に及ぼされた力の方向をこれに設けられているスロット２２に一致させ、それにより、「地面上」の足運びのトーオフ段階を行わせるようエネルギを所望の前方方向に制御集中させるようになっている。
本発明の彫刻模様入りソール１４は更に、各々が実質的に平らな外面を備えると共に基部１６の下方側部１６Ｂに形成された複数の後方支持ランド２６及び隣り合う支持ランド２６間に延びていてこれらを互いに離隔させるよう基部１６の下方側部１６Ｂに形成された複数の分離チャンネル２８を有している。前方支持パッド１８相互間の溝２０と同様に、チャンネル２８は横断面がＶ字形になっている。このように形成された支持ランド２６は基部１６から下方に延び、支持ランド２６の対向した側部２６Ａは互いに向かって僅かに収斂している。また、支持ランド２６は、全体として横断方向に延びる弧状の凹み２９によって前方支持パッド１８から後方に間隔を置いて位置すると共にこれから後方に延びて各支持ランド２６が彫刻模様入りソール１４上に位置する着用者の足の中足骨の下にそれぞれ位置するようになっている。支持ランド２６相互間の分離チャンネル２８は、全体として足指相互間の隙間と整列して延びている。通常の歩き及び走りの中間スタンス段階からトーオフ段階への「地面上」の足の運びの際、それぞれの足指によって支持ランド２６に及ぼされた力は、それぞれの支持ランド２６に沿って差し向けられる。着用者の足の中足骨相互間に延びるチャンネル２８は、支持ランド２６を互いに分離し、各支持ランド２６は、支持ランド２６と整列した足のそれぞれの中足骨によってのみ力が各支持ランド２６に及ぼされたりこれから取り去られると、実質的にこれに応答して圧縮動作を行ったり弾性反撥動作を行ったりするようになっている。また、各支持ランド２６は、凹状又は弧状の凹部３０，３２がそれぞれ設けられた互いに反対側に位置する前方端部２６Ａ及び後方端部２６Ｂを有し、これら凹部３０，３２は、後方支持ランド２６に及ぼされた力の方向を前方支持パッド１８の弧状凹部２４及びスロット２２に一致させ、それにより、「地面上」の足運びのトーオフ段階を行わせるようエネルギを所望の前方方向に制御集中させるようになっている。支持ランド２６を基部１６と一体に連結してもよく、或いはこれに接合される別個の部品であってもよい。
図１、図３、図５及び図６を参照すると、本発明の彫刻模様入りソール１４は更に、基部１６の上方側部１６Ａ及び下方側部１６Ｂのうち一方に取り付けられた弾性材料、例えばラテックス又はネオプレンから成る層３４を有している。好ましくは、弾性材料層３４は、基部１６の下方側部１６Ｂの下に位置した状態でこれに取り付けられる。ただし、変形例としてこれを上方側部１６Ａに取り付けてもよい。弾性材料層３４は、後方支持ランド２６を覆った状態で全体的にこれと整列して延びる主要部分３６及び主要部分３６から前方に延びる複数の縁部分３８を有している。縁部分３８は各々、互いに全体的に同一の広がりをもって延び、基部１６の前方支持パッド１８及び支持パッド１８の中央に形成されたスロット２２とそれぞれ整列している。弾性材料層３４は、主要部分３６を貫通して形成され、全体として基部１６の溝３０と整列した状態で弾性材料層３４の隣り合う縁部分３８の間に延びていてこれらを離隔させる複数の開口部４０を更に有し、したがって各縁部分３８は、互いに分離されていて、着用者の足指のそれぞれによってのみ力が支持パッドに加えられたり取り去られると、実質的にこれに応答して、整列状態にある一前方支持パッド１８が圧縮動作を行っているときに伸びてエネルギを蓄えたり、整列状態にある一前方支持パッド１８が弾性反撥動作を行っているときに縮んでエネルギを放出するようになっている。弾性材料層３４は、その主要部分３６を貫通して形成され、全体として支持ランド２６の前方端部２６Ｂと整列して延びると共にその前方に位置した複数の穴４２をさらに有し、したがって層３４の主要部分３６は、着用者の足の中足骨のそれぞれによってのみ力が支持パッドに加えられたり取り去られると、実質的にこれに応答して、支持ランド２６が圧縮動作を行っているときに伸びてエネルギを蓄えたり、支持ランド２６が弾性反撥動作を行っているときに縮んでエネルギを放出するようになっている。
図１及び図４〜図６を参照すると、本発明の彫刻模様入りソール１４は、複数の実質的に平らなプレート４４及び複数の実質的に平らなキャップ４６をさらに有しており、これらは両方とも適当な可撓性非弾性材料、例えば適当なプラスチック、黒鉛又はファイバー材料で作られている。各プレート４４は、互いに間隔を置いて配置されていて、任意適当な方法で、基部１６の前方支持パッド１８とそれぞれ全体的に整列した状態で弾性材料層３４に取り付けられている。可撓性非弾性材料で作られた複数のウェブ４８が、隣り合うプレート４４相互間に延びてこれらを相互に連結している。各キャップ４６は互いに間隔を置いて設けられていて、任意適当な方法で弾性材料層３４に取り付けられている。各キャップ４６も又、プレート４４のそれぞれから後方に間隔を置いて位置し、基部１６の後方支持ランド２６のそれぞれと全体的に整列した状態で配置されている。可撓性非弾性材料で作られた複数のウェブ５０が、隣り合うキャップ４６相互間に延びてこれらを相互に連結している。ウェブ４８，５０が設けられていることにより、複数のプレート４４及びキャップ４６を一体構成部品として提供でき、これにより、これらの取扱いが容易になると共に弾性材料層３４上への取付けが容易になる。また、弾性材料層３４は、プレート及びキャップを弾性材料層上のそれぞれの正確な位置に位置決めしやすくするためにプレート４４及びキャップ４６の外形と全体的に合致する外形のパターン又は模様が捺印された上面３４Ａを更に有している。プレート４４は各々、全体としてＵ字形であって、これらの中央には切欠き５２が形成されている。プレート４４のうち少なくとも幾つかは、切欠き５２の端を閉鎖する端部４４Ａを有し、これら端部４４Ａは、各支持パッド１８の中央に形成されたスロット２２の開放前端部２２Ａを横切って延びてこれを橋渡しするよう基部１６の前方縁部１６Ｃに隣接して配置されている。
最後に、図１〜図３及び図７を参照すると、本発明の彫刻模様入りソール１４は、弾性圧縮性材料、例えばポリウレタン又は圧縮ＥＶＡで作られていて、基部１６から後方に延びる状態でこれに取り付けられたヒール部材５４を有している。ヒール部材５４は、横方向に延びると共に後方上方に傾斜した後部傾斜表面５８を備えた後方端部分５６と、後方端部分５６と合体していてこれから前方に延びる一対の互いに反対側に位置した側方支持部分６０とを有し、側方支持部分６０は、後方端部分と協働して、後部傾斜表面５８を通って後端部６２Ａのところで開いた長手方向凹部６２を構成し、長手方向凹部６２は、互いに反対側に位置した側方支持部分６０の間で前方に延びていて、圧縮力及び弾性反撥力を長手方向凹部６２中へ差し向け、それにより着用者の足の踵を安定させると共にこれに対する衝撃を吸収するようになっている。後方端部分５６の後部傾斜表面５８は、長さ方向凹部６２をヒール部材５４の後端部のところで開口させているので、凹部６２によって形成されるボイド中への側方支持部分６０の圧縮は妨げられない。本発明の彫刻模様入りソール１４は、ヒール部材を覆った状態でこれに取り付けられたヒールプレート６４及び中央ヒールフォーク６６を更に有している。
本発明の彫刻模様入りソール１４の上述の構成要素は、通常の歩き又は走りの３つの連続した基本段階、即ち、踵突き段階、中間スタンス段階、トーオフ段階の際における着用者の足・足首系の要請に取り組んでいる。踵突き段階では、ヒールプレート６４及びヒールフォーク６６は、踵骨を案内すると共に安定化させることによって足後部を安定させると共にこれを保持し、或いはそのオーバースピン又は過剰回内運動を減少させる傾向がある。次に、踵突き段階後、長いヒールフォーク６６は、足中間部の「ロックアップ（lock up）」の促進を助け、他方、支持パッド１８及び支持ランド２６並びにプレート４４及びキャップ４６は、中間スタンス段階からトーオフ段階への足前部の移行動作を案内し、それにより足を一層大きなパワーをもたらす最終蹴り離し梃作用（final push off lever）状態に推進する。
彫刻模様入りソール１４の支持パッド１８及び支持ランド２６は、素材自体が圧縮できる下方傾斜側部を備えた平らな外面を有している。支持パッド１８及び支持ランド２６の高さ又は厚さを相当大きくすると、その構成材料を圧縮させるのに要する時間が長くなり、これにより、着用者の筋神経系にエネルギを伝達するのに要する時間が長くなり、その結果、足の外傷が少なくなると共に足の動作を一層コントロールしやするなる。
彫刻模様入りソール１４の弾性材料層３４は、足の筋系のように働く。これは、エネルギを吸収したり放出する。分離状態の支持パッド１８及び支持ランド２６がそれぞれ対応したプレート４４及びキャップと共に設けられ、しかも弾性材料層３４が存在していることにより、足前部の加重中における中足骨の「ピアノ鍵動作」効果によって引き起こされるトルクが減少すると共に足の最終押し離しのための足指の屈曲及び梃作用を増強できる。各足は、所望の中立整列状態からのずれの度合が本来的に異なっている。彫刻模様入りソール１４の上述の構成部分は、これらの互いに異なるずれを抑えて均等にする傾向がある。エネルギの貯蔵は、弾性材料層１４が中間スタンス段階又は前方ロール中に支持パッド１８と支持ランド２６との間で伸ばされているときに生じる。エネルギはトーオフ段階で放出され、前方への推進力を増大させる。弾性材料層３４の表面上のプレート４４及びキャップ４６の隆起捺印部は、弾性材料層３４上へのそれらの位置決め及び固定を助ける。
彫刻模様入りソール１４のプレート４４とキャップ４６をシューズ構成層中のどこか、例えば、足とインソール（中底又は中敷）との間、インソールとミッドソール（間底又は下底）との間、ミッドソールとソールとの間、ソールと地面との間にサンドイッチするのがよい。プレート４４及びキャップ４６は、支持パッド１８及び支持ランド２６の圧縮の制御及び開始を可能にする共に弾性材料層３４の引き伸ばしを可能にする。プレート４４及びキャップ４６による圧縮開始は予想可能なので、衝撃力の吸収、貯蔵及び伝達、そして位置エネルギから運動エネルギへの衝撃力の変換を最大限利用するようソール１４を設計できる。
要約すると、本明細書に開示した彫刻模様入りソールの構成要素全体は、着用者の特定の競技に対する履物の「チューニング（tuning）」を可能にして特定の競技における着用者の技能が高められると共に外傷の恐れが減るようにするために本発明の範囲内において外形及び厚さを種々のものにすることができる。かかる構成要素全体は、多くの現行設計の場合のように自然な動きを制約するのではなく、足を強化する傾向のある制御された裸足のランニング効果を有する彫刻模様入りソール１４を備えた履物を構成する。ペースの早いランニングでは、彫刻模様入りソール１４の構成要素は、スピードを上げると共に足が中間スタンス段階で一層強く地面に当たり、次に足指が素早く離れる際の整合関係を向上させる。
本発明をシューズの製作に用いられるソールとして説明したが、本発明は、本発明のソールをインソール又は中敷として用いる場合にもそのまま適用される。
本発明の構成及びその利点は上述の説明から理解されると考えられ、また本発明の精神及び範囲から逸脱することなく、或いはその利点の全てを損なうことはなく、本発明の種々の変形例を想到できることは明らかであり、上述の形態は、単に好ましい実施形態又は例示の太陽に過ぎない。
【図１】
0003789476.tif 000002
【図２】
0003789476.tif 000003
【図３】
0003789476.tif 000004
【図６】
0003789476.tif 000005
【図７】
0003789476.tif 000006
【図４】
0003789476.tif 000007
【図５】
0003789476.tif 000008